(57)【要約】【課題】塵埃案内パイプの先端縁で被清掃面を傷つけにくく、作業性に優れたブラシアタッチメントを提供すること。【解決手段】  被清掃面から塵埃を吸引する吸込具と間接的又は直接的に接続する吸込具側接続部を有し、吸引した塵埃を掃除機本体に案内する塵埃案内パイプにおいて、塵埃案内パイプの吸込具接続部側の下部にローラーを設け、塵埃案内パイプの吸込具接続部側に軸支部を形成し、この軸支部に、ブラシが植毛された基部により構成されるブラシアタッチメントが回転自在に軸支される。【選択図】図２
2010207526.tif 000002
【特許請求の範囲】
【請求項１】
電機掃除機本体と床用吸込具とを接続する塵埃吸引パイプの塵埃吸引側端部にブラシアタッチメントを備え、このブラシアタッチメントは前記塵埃吸引パイプに回転自在に取付けられるＵ字状の基部とこの基部の端面に植毛されたブラシからなり、非使用時は前記基部と前記ブラシとが前記塵埃吸引パイプの側面に沿って位置すると共に、使用時は前記基部と前記ブラシが前記塵埃吸引パイプの端部開口を囲むよう位置される電気掃除機用アタッチメントにおいて、
前記ブラシアタッチメントの使用時における前記ブラシアタッチメントの位置とは反対側の前記塵埃吸引パイプの塵埃吸入側端部側面に、移動用ローラーを設けたことを特徴とする電気掃除機用アタッチメント。
【請求項２】
前記移動用ローラーの外周は、起毛布であることを特徴とする請求項１に記載の電気掃除機用アタッチメント。
【請求項３】
前記移動用ローラーは、一方向にのみ回転可能にしたことを特徴とする請求項１又は２に記載の電気掃除機用アタッチメント。
【請求項４】
前記移動用ローラーは、前記ブラシアタッチメントの非使用時に、前記Ｕ字状の基部で覆われていることを特徴とする請求項１乃至３のいずれかに記載の電気掃除機用アタッチメント。
【発明の詳細な説明】
【技術分野】
【０００１】
この発明は、塵埃吸引パイプに備えられた狭い隙間や高い場所などを掃除する為の電気掃除機用ブラシアタッチメントに関する。
【背景技術】
【０００２】
従来から、掃除機本体に直接又は間接的に接続し、床用吸込具で吸引した塵埃を掃除機本体へと導く塵埃吸引パイプの塵埃吸引側先端部に、基部を回動自在に軸支し、この基部の一端にブラシ部を形成した電気掃除機用ブラシアタッチメントがある。
この様なブラシアタッチメントは、ブラシを使用しない場合、基部が塵埃吸引パイプの下側に位置した状態で、ブラシが塵埃吸引パイプの先端とは逆方向を向いて配置されている。
【０００３】
そして、ブラシを使用する場合は、ブラシアタッチメントが設けられた塵埃吸引パイプの先端に連結される吸込具等を取り外した状態で、塵埃吸引パイプの下側に位置する基部を回転させて塵埃吸引パイプの上側に基部を移動させることにより、塵埃吸引パイプの後方を向いていたブラシを、容易に塵埃吸引パイプの先端に取り付けることができる（例えば、特許文献１参照）。
【先行技術文献】
【特許文献】
【０００４】
【特許文献１】特開平１０−５１５７号公報
【発明の概要】
【発明が解決しようとする課題】
【０００５】
しかしながら、特許文献１に記載の構成では、塵埃吸引パイプの下側に位置する基部を回転移動させて、ブラシを塵埃吸引パイプの塵埃吸引側先端に位置させる。つまり、ブラシが塵埃吸引パイプの塵埃吸引側先端部に位置している状態では、床面や家具等の被清掃部と塵埃吸引パイプの先端縁が直接接触する位置関係となる。
【０００６】
これにより、清掃中に塵埃吸引パイプの先端縁が、床面や家具等と接触して、傷つけてしまう問題が生じる。
特に、塵埃吸引パイプの先端部に、この様なアタッチメントを用いた場合、清掃作業者の目の位置と、塵埃吸引パイプの先端縁が離れていることや、ブラシにより塵埃吸引パイプ先端縁が隠れてしまうことから、上記の問題が発生しやすい。
【０００７】
そこで本発明は、上記の問題を解決するためになされたもので、塵埃吸引パイプの先端に、従来の様なアタッチメントを用いても、被清掃面を傷つけにくく、作業性に優れたブラシアタッチメントを備えた塵埃吸引パイプ、及び、これを用いた電気掃除機を提供することを目的とする。
【課題を解決するための手段】
【０００８】
電機掃除機本体と床用吸込具とを接続する塵埃吸引パイプの塵埃吸引側端部にブラシアタッチメントを備え、このブラシアタッチメントは前記塵埃吸引パイプに回転自在に取付けられるＵ字状の基部とこの基部の端面に植毛されたブラシからなり、非使用時は前記基部と前記ブラシとが前記塵埃吸引パイプの側面に沿って位置すると共に、使用時は前記基部と前記ブラシが前記塵埃吸引パイプの端部開口を囲むよう位置される電気掃除機用アタッチメントにおいて、ブラシアタッチメントの使用時におけるブラシアタッチメントの位置とは反対側の前記塵埃吸引パイプの塵埃吸入側端部側面に、移動用ローラーを設ける。
【発明の効果】
【０００９】
以上のように各部を構成すれば、ブラシ使用時に、塵埃吸引パイプの先端縁と被清掃部と間に、ローラーが介在して配置される。
このローラーが被清掃部と接触することにより、塵埃吸引パイプの先端縁と被清掃部が直接接触することを防止し、被清掃部を傷つけることがないブラシアタッチメントを有する塵埃吸引パイプを提供することができる。
【図面の簡単な説明】
【００１０】
【図１】実施の形態１を示す電気掃除機の全体構成を示す斜視図
【図２】実施の形態１を示す塵埃吸引パイプの側面図
【図３】実施の形態１を示すブラシアタッチメントを畳んだ状態の側面図
【図４】実施の形態１を示すブラシアタッチメントの正面図概略図及び側面図
【図５】実施の形態２を示す延長塵埃吸引パイプに本発明を適用した形態の斜視図
【図６】実施の形態２を示す図５の塵埃吸引パイプを上方より見た平面図
【図７】実施の形態２を示す図６のＡ−Ａ断面図
【図８】実施の形態３を示す断面図
【発明を実施するための形態】
【００１１】
実施の形態１
以下、図１〜４を参照して、本発明の実施の形態１について説明する。
図１は、本発明が適用される電気掃除機１の全体構成を示す斜視図である。
図２は、塵埃吸引パイプ１３の側面図である。
図３は、ブラシアタッチメント１５を畳んだ状態の側面図である
図４は、（Ａ）ブラシアタッチメント１５が塵埃吸引パイプから離れた状態の側面図と、（Ｂ）この状態を接続部１３ａ側からみた正面概略図と、（Ｃ）ローラーとブラシアタッチメントの軸支状態の一例を示すＢ−Ｂ断面図である。
【００１２】
図１を参照すると、 掃除機本体１の内部には吸引した塵埃を集める集塵室、吸引力を発生させる電動送風機等が設けられており、底面には車輪が回転自在に設けられている（図示せず）。
また、掃除機本体１の前側には、塵埃を掃除機本体１に案内する蛇腹状のホース１１がホース差込口１ａに接続されている。このホース１１には、塵埃を掃除機本体１に案内する塵埃吸引パイプ１３と結合部１１ａで結合接続されている
【００１３】
そして、塵埃吸引パイプ１３の先端には接続部１３ａが形成され、この接続部１３ａに塵埃を掃除機本体１に案内する延長塵埃吸引パイプ２０が接続されている。更に、延長塵埃吸引パイプ２０の先端には、被清掃面から直接塵埃を吸引する床ブラシ等を有する床用吸引具５０が着脱自在に取り付けられる。
【００１４】
次に、図２〜４を参照して、塵埃吸引パイプ１３について詳細に説明する。
塵埃吸引パイプ１３の内部には、塵埃吸入口１３ｒが形成されており、ホース１１、延長塵埃吸引パイプ２０、吸込具３０と適宜接続することにより、吸引した塵埃を掃除機本体１に案内する経路が構成される。
【００１５】
塵埃吸引パイプ１３の上部には、ホース１１が位置する方向に向かって、ほぼ円弧状に延設された把持部１３ｂが形成されている。そして、把持部１３ｂの前側には、掃除機の電源スイッチ、出力調整スイッチ等の操作部１３ｃが設けられている。  
このように把持部１３ｂ及び操作部１３ｃを配置することで、使用者が把持部１３ｂを握り掃除機を移動させやすく、かつ、掃除機の各種操作を行いやすい構成となっている。
【００１６】
次に、塵埃吸引パイプ１３の先端部には、床用吸引具５０と直接、又は、床用吸引具５０に接続された延長塵埃吸引パイプ２０と接続することで間接的に床用吸込具５０と接続する吸引具接続部１３ａが形成されている。
また、塵埃吸引パイプ１３の上部前側には、これらの部材が接続された状態を解除する為の接続解除ボタン１３ｄが設けられている。
【００１７】
次に、塵埃吸引パイプ１３の下部前側には、向かい合う一対の支持部１３ｅが立設している。この支持部１３ｅは、塵埃吸引パイプ１３から、一体的に立ち上げた形状でも、別部材を取り付けたものでも良い。
また、この一対の支持部１３ｅのそれぞれ向かい合う面には、凹部を形成することにより、軸支部１３ｆが設けられている。そして、この軸支部１３ｆにローラー１４の両端に設けた軸１４ｊを軸支させることにより、ローラー１４が塵埃吸引パイプ１３の下部前側、つまり、塵埃吸入口１３ｒ側の端部側面に回転自在に配置されている。
【００１８】
このローラー１４の外周面は、ゴムや合成樹脂等の弾性材料や起毛布等のやわらかい材料から構成されている。
尚、ローラー１４の両端に軸受を形成し、この軸受に支持部１３ｅのそれぞれ向かい合う面に突出させた軸を軸支させても良い。
次に、一対の支持部１３ｅのそれぞれ向かい合う面とは逆側の面には、支持部１３ｅから立設する軸１３ｇが設けられている。そしてこの軸１３ｇには、軸受１５ｆが形成された一対のアーム１５ｄを介して、ブラシアタッチメント１５が塵埃吸引パイプ１３に対して回転自在に取り付けられている。
【００１９】
このブラシアタッチメント１５は、向かい合う平面部１５ａとそれぞれの平面部１５ａの一端部を繋ぐアーチ部１５ｂからなる正面視が略Ｕ字形状の基部１５ｋと、この基部１５ｋの一側端縁に植毛されたブラシ１５ｃと、前述のアーム１５ｄから構成されている。
このブラシ１５ｃは、ナイロンや馬毛等の刷毛、合成樹脂材料によりくし状に形成されたものである。また、向かい合う平面部１５ａの間隔は、塵埃吸引パイプ１３の幅ｄ（正面視）よりも、大きく空けられている。
【００２０】
尚、一対のアーム部１５ｄに軸を形成し、支持部１３ｅのそれぞれ向かい合う面とは逆側に軸受を設けることにより、ブラシアタッチメント１５を塵埃吸引パイプ１３に対して回転自在に設けても良い。
また、ブラシアタッチメント１５は、平面部１５ａの一部をアーム形状にすることで、直接支持部１３ｅに回転自在に取り付けても良い。
【００２１】
次に、ブラシアタッチメント１５の使用形態を説明する。
まず、ブラシアタッチメント１５は、基部１５ｋを構成する向かい合う平面部１５ａの間に、塵埃吸引パイプ１３を挟んだ状態で、ブラシ１５ｃを塵埃吸引パイプ１３の方向に向けて収納されている。
【００２２】
そして、ブラシアタッチメント１５を使用する場合、塵埃吸引パイプ１３の吸引具接続部１３ａに連結される床用吸込具５０と延長塵埃吸引パイプ４０を取り外した状態で、基部１５ｋを前方に回転させることにより、ブラシ１５ｃを塵埃吸引パイプ１３の先端に位置させる。
この時、塵埃吸引パイプ１３の前面に設けられたストッパー１３ｓに、アーチ部１５ｂの端が接することで、ブラシアタッチメント１５が塵埃吸引パイプ１３に対して、適切な方向を向いて配置される。  
【００２３】
以上のように各部が構成されているので、ブラシアタッチメント１５を用いて清掃する際に、ローラー１４が被清掃面に接触して、被清掃面と塵埃吸引パイプ１３の先端部下端縁Ｅとの間隔を保持することができる。
これにより、ブラシアタッチメント１５の使用時でも、塵埃吸引パイプ１３の先端部下端縁Ｅと床面との接触を防止することができ、床面を傷つけることがない。
【００２４】
また、ローラー１４が被清掃床面上を転がりながら塵埃吸引パイプ１３を保持するので、塵埃吸引パイプ１３を前後動させやすく、作業性を向上させることが可能である。
特に、ローラー１４をゴムややわらかい樹脂材料により構成するので、被清掃面に多少の凹凸があっても、ローラー１４自体が変形することにより、塵埃吸引パイプ１３の前後動を妨げない構成となる。  
更に、ローラー１４の外周面に起毛布を用いた場合は、ローラー１４による、被清掃面の磨き及びごみ取りが可能となる。
【００２５】
実施の形態２
以下、図５〜７を参照して、本発明の実施の形態２について説明する。
図５は、延長塵埃吸引パイプ２０に本発明を適用した形態の斜視図である。
図６は、図５の塵埃吸引パイプを上方より見た平面図である。
図７は、図６のＡ−Ａ断面図である。
【００２６】
実施の形態２は、延長塵埃吸引パイプにブラシアタッチメントを設けたものである。
図２を参照すると、延長塵埃吸引パイプ２０の塵埃吸入口２０ｒ側の下部には、向かい合う一対の支持部２０ｅが立設している。この一対の支持部２０ｅのそれぞれ向かい合う面には、軸受部が形成されている。
そして、この軸受部にローラー２４の両端に設けた軸を軸支させることにより、ローラー２４が延長塵埃吸引パイプ２０の下部、つまり、塵埃吸入口２０ｒ側端部側面に回転自在に配置されている。尚、ローラー２４の両端に軸受を形成し、この軸受に支持部２０ｅのそれぞれ向かい合う面に突出させた軸を軸支させても良い。
【００２７】
次に、支持部２０ｅの上方における延長塵埃吸引パイプ２０の両側の前側には、一対の軸受部２０ｆが設けられている。そしてこの軸受部２０ｆには、ブラシアタッチメント２５が延長塵埃吸引パイプ２０に回転自在に取り付けられる。
ブラシアタッチメント３０は、向かい合う平面部３０ａとそれぞれの平面部３０ａの側端部を繋ぐアーチ部３０ｂからなる正面視が略Ｕ字形状の基部３０ｋと、この基部３０ｋの一側端縁に植毛されたブラシ３０ｃから構成されている。
【００２８】
各平面部３０ａには、向かい合う平面部に向かって軸が突出しており、この軸を前述した軸受部２０ｆに軸支させることで、ブラシアタッチメント３０が延長塵埃吸引パイプ２０に回転自在に取り付けられている。
尚、向かい合う平面部３０ａの間隔は、延長塵埃吸引パイプ２０の幅ｄよりも、大きく空けられている。
【００２９】
また、延長塵埃吸引パイプ２０の両側面の前側端部に突出部を形成することにより、ブラシアタッチメント３０を使用している際の第１のストッパー２０ｇが設けられている。
更に、延長塵埃吸引パイプ２０の両側面の前側に設けられた軸受部２０ｆより後ろ側に突出部を形成することにより、ブラシアタッチメント２５を収納する際に、基部３０ｋの動きを抑制する第２のストッパー２０ｈが設けられている。
【００３０】
次に、ブラシアタッチメント３０の使用形態を説明する。  
まず、ブラシアタッチメント３０は、第２のストッパー２０ｈに基部３０ｋが接した状態で、向かい合う平面部３０ａの間に、延長塵埃吸引パイプ２０を挟んで、ブラシ３０ｃを延長塵埃吸引パイプ２０の後ろ方向に向けて収納される。
この時、ローラー２４は、上下左右方向をブラシアタッチメント３０に囲まれている。
【００３１】
そして、ブラシアタッチメント３０を使用する場合、塵埃吸引パイプ２０の吸引具接続部２０ａに連結される吸込具５０や他の塵埃吸引延長パイプを取り外した状態で、基部３０ｋを前方に回転させることにより、ブラシ３０ｃを塵埃吸引パイプ２０の先端に位置される。
この時、第１のストッパー２０ｇに基部３０ｋが接することで、ブラシアタッチメント３０と、延長塵埃吸引パイプ２０の開口との位置が決る。
この状態において、ブラシアタッチメント３０及び塵埃吸引パイプ２０の下側に、ローラー２４が位置する。
【００３２】
以上のように各部が構成されているので、ブラシアタッチメント３０を用いて清掃する際に、ローラー２４が被清掃面に接触して、被清掃面と延長塵埃吸引パイプ２０の先端部下端縁Ｅとの間隔を保持することができる。
これにより、ブラシアタッチメントの使用時でも、塵埃吸引パイプ１３の先端部下端縁Ｅと床面の接触を防止することができ、床面を傷つけることがない。
【００３３】
また、ブラシアタッチメントの軸支位置である軸受部２０ｆの位置が、ローラーの支持部２０ｅの上方に位置するので、ブラシアタッチメントの回転範囲をコンパクトにできると共に、ブラシアタッチメント収納時には、ローラーの上下左右方向をブラシアタッチメント３０で覆うことができる。
これにより、塵埃が付着したローラーへの接触を防止でき、汚れたローラーからの塵埃の飛散を防ぐことができる。
【００３４】
実施の形態３
以下、図８を参照して、本発明の実施の形態３について説明する。
図８は、延長塵埃吸引パイプに本発明を適用した形態の断面図である。尚、実施の形態２と同一の構成については、同一の符号を付し、説明を省略する。
【００３５】
図８における延長塵埃吸引パイプ２０の下部前側に立設した支持部２０ｅには、ローラー６０が回転自在に配置されている。このローラー６０の外周面には、一定の方向に向けてブラシ６１が植毛されている。
このブラシ６１には、掃除機使用時の前進方向であるＲ方向にブラシアタッチメントを動作させたとき、床面と接触してローラ６１の回転する方向ｒと、ブラシの寝る方向とが一致するように植毛されている。
また、支持部２０ｅの塵埃吸引側の塵埃吸引パイプ２０には、突起部６２が設けられている。この突起部６２は、ブラシ６１と接している。
【００３６】
以上のように各部を構成すると、清掃時に、ローラー６０が被清掃面と接触した状態で進行方向Ｒに向けて延長塵埃吸引パイプ２０が動かした場合、ブラシ６１と突起部６２が対向して接触する、つまりブラシの植毛方向と突起部６２が対向して接触するので、ローラー６０の回転が抑制される。
これにより、床面に対してローラー６０が、ほぼ停止した状態で接触ことができるので、被清掃面に対して拭き・磨き掃除の効果を発揮する。
【００３７】
また、ローラー６０が床面と接触した状態で、進行方向Ｒに対して逆方向に延長塵埃吸引パイプ２０が動かした場合、ブラシ６１は突起部６２に習いながら接触して、ローラー６０が回転する。
これにより、ブラシ６１に付着した塵埃を突起部６２が除去すると共に、ブラシ６１から除去した塵埃を延長塵埃吸引パイプ２０により、吸い上げることができる。
【００３８】
尚、本実施の形態において、ブラシ６１の植毛方向に方向性を持たせ、突起部６２と接触させることにより、ローラー６０の回転を抑制させている。この様な構成に加え、突起部６２との接触によるローラー６０からの塵埃除去機能は失うが、ローラー６０の内部機構にラチェット機構を用いてローラー６０の回転を抑制してもよい。
【産業上の利用可能性】
【００３９】
本発明は、掃除機に用いるブラシアタッチメントに関するもので、塵埃吸引パイプの先端にブラシアタッチメントを有する形態の掃除機に利用可能である。
【符号の説明】
【００４０】
１  掃除機本体
１１  ホース
１３  塵埃吸引パイプ
１４  ローラー
１５  ブラシアタッチメント
２０  延長塵埃吸引パイプ
２４  ローラー
３０  ブラシアタッチメント
６０  ローラー
６１  ブラシ
６２  突起部
【図１】
2010207526.tif 000003
【図２】
2010207526.tif 000004
【図３】
2010207526.tif 000005
【図４】
2010207526.tif 000006
【図５】
2010207526.tif 000007
【図６】
2010207526.tif 000008
【図７】
2010207526.tif 000009
【図８】
2010207526.tif 000010